(57)【要約】【課題】  無端ベルトの両端部に集中応力が生じることなく無端ベルトの破損を防止することができる画像形成装置を提供する。【解決手段】  複数のロールからなる無端ベルト張架搬送手段を備える画像形成装置において、複数のロールの両端部には、ロール中央部の径に対して小径であると共にロール中央部と同軸である段部が設けられ、無端ベルトは、両端がロール両段部に位置するように形成され、無端ベルトの両端部表面には、無端ベルトの両端から幅方向外側に張出すように表面補強部材が設けられ、無端ベルトの両端部裏面には、ロール両段部から幅方向外側に張出すと共に厚さがロールと段部との段差以下である裏面補強部材が設けられ、表面補強部材と裏面補強部材とは無端ベルトの両端から幅方向外側で一体に形成され、裏面補強部材の表面には、ロール両段部の端面に当接して無端ベルトの寄りを規制する寄り規制部材が設けられていることを特徴とする。【選択図】          図２
2007057740.tif 000002
【特許請求の範囲】
【請求項１】
無端ベルトを張架搬送するための複数のロールからなる無端ベルト張架搬送手段を備える画像形成装置において、
複数のロールの両端部には、ロール中央部の径に対して小径であると共にロール中央部と同軸である段部が設けられ、無端ベルトは、両端がロール両段部に位置するように形成され、無端ベルトの両端部表面には、無端ベルトの両端から幅方向外側に張出すように表面補強部材が設けられ、無端ベルトの両端部裏面には、ロール両段部から幅方向外側に張出すと共に厚さがロールと段部との段差以下である裏面補強部材が設けられ、表面補強部材と裏面補強部材とは無端ベルトの両端から幅方向外側で一体に形成され、裏面補強部材の表面には、ロール両段部の端面に当接して無端ベルトの寄りを規制する寄り規制部材が設けられていることを特徴とする画像形成装置。
【請求項２】
無端ベルトの両端部に設けられる表面補強部材と裏面補強部材とは幅が異なる請求項１記載の画像形成装置。
【請求項３】
無端ベルトの両端部に設けられる表面補強部材と裏面補強部材とは厚さが異なる請求項１又は２記載の画像形成装置。
【請求項４】
無端ベルトの両端部に設けられる表面補強部材と裏面補強部材とは材質が異なる請求項１〜３のいずれか記載の画像形成装置。
【請求項５】
無端ベルトの両端部に設けられる裏面補強部材の幅は寄り規制部材の幅より大きい請求項１〜４のいずれか記載の画像形成装置。
【請求項６】
無端ベルトの両端部に設けられる表面補強部材及び裏面補強部材は弾性部材から形成されている請求項１〜５のいずれか記載の画像形成装置。
【請求項７】
無端ベルトの両端部に設けられる表面補強部材及び裏面補強部材は、無端ベルトの表面及び裏面に貼着されていると共に無端ベルトの両端から幅方向外側で貼着されている請求項１〜６のいずれか記載の画像形成装置。
【請求項８】
裏面補強部材の表面に設けられる寄り規制部材は、裏面補強部材の表面に貼着されている請求項１〜７のいずれか記載の画像形成装置。
【請求項９】
複数のロールの両端部に設けられている段部は、樹脂部材から形成されロール本体に対して係合していることを特徴とする請求項１〜８のいずれか記載の画像形成装置。
【発明の詳細な説明】
【技術分野】
【０００１】
本発明は、電子写真方式などを適用したプリンタ、複写機、及びファクシミリ、或いはこれらの機能を兼ね備えた複合機等のカラー画像形成装置に関するものである。
【背景技術】
【０００２】
【特許文献１】特開平０５−３０６０３７号公報
【特許文献２】特開平１１−２１９０４６号公報
【特許文献３】特開２００３−１０７９２９号公報
【０００３】
一般に、画像形成装置では、無端ベルトを張架搬送するための複数のロールからなる無端ベルト張架搬送手段を備えるものが知られている。無端ベルトの両端部には、無端ベルトの蛇行を防止するため複数のロールの両端面にガイドされる寄り規制部材が設けられている。
【０００４】
無端ベルトの蛇行は、無端ベルトと寄り規制部材との隅部に集中応力を生じさせる。そして、この集中応力の繰り返しで無端ベルトが破損する場合がある。
【０００５】
そこで、従来、無端ベルトが蛇行して無端ベルトと寄り規制部材との隅部に集中応力が繰り返し生じた場合においても無端ベルトが破断することを軽減する技術が考えられている。
【０００６】
第１には、トナー像または転写紙を担持して次工程領域まで搬送する複数のローラに張力を印加して巻架され回転駆動されるエンドレスベルトのベルト駆動装置において、前記エンドレスベルトの端部に補強部材が貼着され、前記ローラには補強部材当接領域が中央領域よりも小径となる第１の段差が設けられていると共に、前記エンドレスベルトの端部にベルト寄り規制部材が貼着され、前記ローラにはベルト寄り規制部材当接領域が前記第１の段差よりも小径となる第２の段差が設けられているものが知られている（特許文献１参照）。
これによれば、ベルト表面の波打ちを防ぎ平滑にすることで、ベルト寿命アップ・転写圧の均一化による転写の安定性・ベルトと駆動ローラ密着力アップによるベルト走行の安定化が図れる。さらに、ベルト幅、ローラ長、支持部を必要最小限にし、省スペース、重量低減、コスト低減が図れる。
【０００７】
第２には、トナー像を保持して搬送するトナー像担持体としての無端ベルトおよび該無端ベルトを張架搬送するための複数のロールからなるベルト張架手段を有する画像形成装置において、前記無端ベルトの外周面両端部に沿って設けられ、端部での重合わせ部を含むベルト補強テープを具備し、前記重あわせ部が、該ベルト補強テープに対する摺接体に対して順方向に構成されていると共に、前記無端ベルトの内周面両端部に沿って設けられ、端部での突合わせ部を含むリブ部材をさらに具備し、前記ベルト補強テープの重合わせ部および前記リブ部材の突合わせ部を、該無端ベルトの周回方向で互いに予定距離離間させたものが知られている（特許文献２参照）。
これによれば、無端ベルトの外周面に設けられたベルト補強テープは、該テープに当接して摺動する摺接体が、前記重合わせ部を円滑に通過していくことができる。したがって、ベルト補強テープは摺接体を設けた場合にも容易に剥離することなく、ベルト側端部の保護機能を十分に果たすことができる。
【０００８】
第３には、無端状の転写ベルトを複数の金属ローラにかけ渡して駆動させると共に、像担持体に形成されたトナー像をこの転写ベルトに転写させ、この転写ベルトに転写されたトナー像を記録媒体に転写させるようにした画像形成装置において、上記の転写ベルトの幅方向端部に沿って所要幅の補強部材を取り付けると共に、この転写ベルトがかけ渡される少なくとも１つの金属ローラにおける軸方向端部の外周に沿って、上記の補強部材の位置と重なるようにして弾性部材を設けると共に、転写ベルトがかけ渡される少なくとも１つの金属ローラにおける軸方向端部の外周に沿って取付凹部を形成し、この取付凹部に上記の弾性部材を取り付けたものが知られている（特許文献３参照）。
これによれば、転写ベルトの幅方向端部に沿って所要幅の補強部材を取り付けると共に、この転写ベルトがかけ渡される少なくとも１つの金属ローラにおける軸方向端部の外周に沿って、上記の補強部材の位置と重なるようにして弾性部材を設けるようにしたため、この金属ローラに設けられた弾性部材によって転写ベルトがずれるのが抑制されると共に、この補強部材が変形して転写ベルトの幅方向端部に加わる負荷も軽減され、転写ベルトの幅方向端部が破損するのがより一層抑制されて、長期にわたって安定した画像形成が行えるようになった。
【発明の開示】
【発明が解決しようとする課題】
【０００９】
しかしながら、上記従来技術の場合、無端ベルトの両端部に補強部材が設けられているため、寄り規制部材がロールの端部に乗り上げてしまうような場合には、無端ベルト両端部に集中応力が生じて無端ベルトが破損してしまうという問題点がある。
【００１０】
そこで、本発明は、上記従来技術の問題点を解決するためになされたものであって、その目的とするところは、寄り規制部材がロールの端部に乗り上げてしまうように場合においても、無端ベルトの両端部に集中応力が生じることなく無端ベルトの破損を防止することができる画像形成装置を提供することを目的とする。
【課題を解決するための手段】
【００１１】
即ち、本発明は、無端ベルトを張架搬送するための複数のロールからなる無端ベルト張架搬送手段を備える画像形成装置において、複数のロールの両端部には、ロール中央部の径に対して小径であると共にロール中央部と同軸である段部が設けられ、無端ベルトは、両端がロール両段部に位置するように形成され、無端ベルトの両端部表面には、無端ベルトの両端から幅方向外側に張出すように表面補強部材が設けられ、無端ベルトの両端部裏面には、ロール両段部から幅方向外側に張出すと共に厚さがロールと段部の段差以下である裏面補強部材が設けられ、表面補強部材と裏面補強部材とは無端ベルトの両端から幅方向外側で一体に形成され、裏面補強部材の表面には、ロール両段部の端面に当接して無端ベルトの寄りを規制する寄り規制部材が設けられていることを特徴とする。
これによれば、寄り規制部材がロールの端部に乗り上げてしまうように場合においても、寄り規制部材がロールの端部に乗り上げてしまうことによって生じる集中応力を無端ベルトの両端部に設けられている表面補強部材及び裏面補強部材で吸収することができるため、無端ベルトの両端部に集中応力が生じることなく無端ベルトの破損を防止することができる。
【００１２】
また、本発明において、無端ベルトの両端部に設けられる表面補強部材と裏面補強部材とは幅が異なるものとすることができる。
【００１３】
また、本発明において、無端ベルトの両端部に設けられる表面補強部材と裏面補強部材とは厚さが異なるものとすることができる。
【００１４】
また、本発明において、無端ベルトの両端部に設けられる表面補強部材と裏面補強部材とは材質が異なるものとすることができる。
また、本発明において、無端ベルトの両端部に設けられる裏面補強部材の幅は寄り規制部材の幅より大きいものとすることが好適である。
【００１５】
また、本発明において、無端ベルトの両端部に設けられる表面補強部材及び裏面補強部材は弾性部材から形成されることが好適である。
【００１６】
また、本発明において、無端ベルトの両端部に設けられる表面補強部材及び裏面補強部材は、無端ベルトの表面及び裏面に貼着すると共に無端ベルトの両端から幅方向外側で貼着することができる。
【００１７】
また、本発明において、裏面補強部材の表面に設けられる寄り規制部材は、裏面補強部材の表面に貼着することができる。
【００１８】
また、本発明において、複数のロールの両端部に設けられている段部は、樹脂部材から形成されロール本体に対して係合しているのが好適である。
【発明の効果】
【００１９】
本発明によれば、寄り規制部材がロールの端部に乗り上げてしまうように場合においても、無端ベルトの両端部に集中応力が生じることなく無端ベルトの破損を防止することができる画像形成装置を提供することができる。
【発明を実施するための最良の形態】
【００２０】
以下に、本発明の実施形態について図面を参照して説明する。
【００２１】
図１〜図３は、本発明に係る画像形成装置の実施形態を示す図である。
【００２２】
図１は、本実施形態における画像形成装置を示す概略図である。同図に示す画像形成装置は、所謂タンデム型の画像形成装置であって、例えば電子写真方式にて各色成分のトナー像が形成される複数の画像形成ユニット１０（１０Ｙ，１０Ｍ，１０Ｃ，１０Ｋ）と、各画像形成ユニット１０にて形成された各色成分トナー像を順次転写（一次転写）して保持させる無端状の中間転写ベルト（トナー像の担持体）１５と、中間転写ベルト１５上に転写された重ね画像を転写材としての用紙Ｐに一括転写（二次転写）させる二次転写装置２０と、二次転写された画像を用紙Ｐ上に定着させる定着装置３０とを備えている。また、各装置（各部）の動作を制御する制御部４０を有している。
【００２３】
本実施形態において、各画像形成ユニット１０（１０Ｙ，１０Ｍ，１０Ｃ，１０Ｋ）は、矢印Ａ方向に回転する感光体ドラム１１の周囲に、これらの感光体ドラム１１が帯電される帯電器１２と、感光体ドラム１１上に静電潜像が書き込まれるレーザ露光器１３（図中露光ビームを符号Ｂｍで示す）と、各色成分トナーが収容されて感光体ドラム１１上の静電潜像をトナーにより可視像化する現像装置１４と、感光体ドラム１１上に形成された各色成分トナー像を中間転写ベルト１５に転写する一次転写ロール１６と感光体ドラム１１上の残留トナーが除去されるドラムクリーナ１７等との電子写真用デバイスが順次配設されている。これらの画像形成ユニット１０は、中間転写ベルト１５の上流側から、イエロー（Ｙ色）、マゼンタ（Ｍ色）、シアン（Ｃ色）、黒（Ｋ色）の順に配置されている。
【００２４】
また、中間転写体である中間転写ベルト１５は、ポリイミド或いはポリアミド等の樹脂にカーボンブラック等の導電剤を適当量含有させたものが用いられ、その体積抵抗率が１０6〜１０14Ω・ｃｍとなるように形成されており、その厚みは例えば０．１ｍｍ程度のフィルム状の無端ベルトで構成されている。中間転写ベルト１５は、各種ロール（無端ベルト張架搬送手段）によって図に示すＢ方向に所定の速度で循環駆動（回動）可能に構成されている。この各種ロールとして、図示しないモータにより駆動されて中間転写ベルト１５を回動させる駆動ロール３１と、中間転写ベルト１５に対して一定の張力を与えると共に中間転写ベルトの蛇行を防止する機能を備えたテンションロール３２と、中間転写ベルト１５を支持し、一定の張力を与える従動ロール３５と、二次転写する部分に設けられたバックアップロール（支持ロール）２８とを有している。
【００２５】
各感光体ドラム１１に対向して設けられたＩＢＴモジュール１８において、略直線状に延びる中間転写ベルト１５の内側に設けられる各一次転写ロール１６には、トナーの帯電極性と逆極性の電圧が印加されるようになっている。これにより、各々の感光体ドラム１１上のトナー像が中間転写ベルト１５に順次、静電吸引され、中間転写ベルト１５上に重ねトナー像が形成されるようになっている。
【００２６】
二次転写装置２０は、中間転写ベルト１５のトナー像担持面側に配置される無端ベルトである二次転写搬送ベルト（転写ベルト）２１を備えている。その対向ロールとしてのバックアップロール２８は、表面にカーボンを分散したＥＰＤＭとＮＢＲのブレンドゴムのチューブで、内部はＥＰＤＭゴムからなり、その表面抵抗率が１０7〜１０10Ω／□でロール径が２８ｍｍとなるように形成され、硬度は例えば７０度（アスカーＣ）に設定されている。バックアップロール２８は、中間転写ベルト１５の裏面側に配置されて二次転写搬送ベルト２１の対向電極をなし、二次転写バイアスを安定的に印加させるための金属製の給電ロール２９が当接配置されている。
【００２７】
一方、二次転写搬送ベルト２１は、金属例えばＳＵＳや、体積抵抗が１０9Ω以下の半導電性のゴムロールなどからなる駆動ロール（転写ロール）２２と、例えばゴムロールからなる従動ロール２３とによって張架された、例えば体積低効率が１０6〜１０10Ω・ｃｍの半導電性の無端ベルトであり、１００％伸張モジューラスが３．８ＭＰａの材料が使用されている。この二次転写搬送ベルト２１は、駆動ロールによって所定の速度で搬送され、また、駆動ロール２２と従動ロール２３とによって所定のテンションが与えられている（無端ベルト張架搬送手段）。
【００２８】
駆動ロール２２は、二次転写搬送ベルト２１及び中間転写ベルト１５を挟んでバックアップロール２８に圧接配置され、二次転写搬送ベルト２１に搬送される用紙Ｐに対して二次転写を施すための二次転写ロールとして機能している。また、バックアップロール２８と駆動ロール２２との圧力状態を変えることで二次転写部材の当接状態を変えることができ、アライメント調整、画像平行度の調整を行うことができる。従動ロール２３の径は、薄紙コート紙などが搬送された場合であっても二次転写搬送ベルト２１に巻きつかない程度に、小さな径が採用されている。更に、二次転写搬送ベルト２１には、中間転写ベルト１５と当接する二次転写部の上流側近傍に、導電性のファーブラシ２４及び回収ローラ２６を備えた第１のクリーニング装置６０と、導電性のファーブラシ２５及び回収ローラ２７を備えた第２のクリーニング装置７０とが配置されている。導電性のファーブラシ２４，２５は、二次転写搬送ベルト２１に接触して配置され、二次転写搬送ベルト２１に付着した汚れを除去する。回収ローラ２６，２７は、ファーブラシ２４，２５に隣接して配置され、ファーブラシ２４，２５で除去された汚れを回収する。
【００２９】
また、バックアップロール２８の下流側には、二次転写後の中間転写ベルト１５上の残留トナーや紙粉を除去し、中間転写ベルト１５の表面をクリーニングするベルトクリーナ４１が接離自在に設けられている。一方、イエローの画像形成ユニット１０Ｙの上流側には、各画像形成ユニット１０における画像形成タイミングをとるための基準となる基準信号を発生する基準センサ（ホームポジションセンサ）４３が配置されている。この基準センサ４３は、中間転写ベルト１５の裏側に設けられた所定のマークを認識して基準信号を発生し、この基準信号の認識に基づく制御部４０からの指示により、各画像形成ユニット１０は画像形成を開始するように構成されている。また、黒の画像形成ユニット１０Ｋの下流側には、画質調整を行うための画像濃度センサ４２が配設されている。
【００３０】
更に、本実施形態では、用紙搬送系として、用紙Ｐを収容する用紙トレイ５０と、この用紙トレイ５０に集積された用紙Ｐを所定のタイミングで取り出して搬送するピックアップロール５１と、ピックアップロール５１にて繰り出された用紙Ｐを搬送する搬送ロール５２と、搬送ロール５２により搬送された用紙Ｐを二次転写装置２０による二次転写位置へと送り込むシュート５３と、二次転写後の用紙Ｐを定着装置３０へと搬送する無端ベルトである搬送ベルト５４，５５と、搬送ベルト５４，５５間で用紙Ｐを案内するシュート５６とを備えている。搬送ベルト５４，５５は、駆動ロールと従動ロールとで構成される無端ベルト張架搬送手段を備えている。
【００３１】
次に、本実施形態に係る画像形成装置の基本的な作像プロセスについて説明する。図示しない画像読取装置（ＩＩＴ）や図示しないパーソナルコンピュータ（ＰＣ）等から出力される画像データは、図１に示す画像形成装置に入力される。画像形成装置では、図示しない画像処理装置（ＩＰＳ）にて所定の画像処理が施された後、画像形成ユニット１０等によって作像作業が実行される。画像処理装置（ＩＰＳ）では、入力された反射率データに対して、シェーディング補正、位置ズレ補正、明度／色空間変換、ガンマ補正、枠消しや色編集、移動編集等の画像処理が施される。画像処理が施された画像データは、イエロー（Ｙ）、マゼンタ（Ｍ）、シアン（Ｃ）、黒（Ｋ）の各色のトナー像として現像される。
【００３２】
画像形成ユニット１０Ｙ、１０Ｍ、１０Ｃ、１０Ｋの感光体ドラム１１上に形成されたトナー像は、各感光体ドラム１１と中間転写ベルト１５とが当接する一次転写部にて、中間転写ベルト上に転写される。より具体的には、一次転写部において、一次転写ロール１６にて中間転写ベルト１５の基材に対しトナーの帯電極性と逆極性の電圧が付加され、未定着トナー像が中間転写ベルト１５の表面に順次重ね合わされて一次転写が行われる。このようにして一次転写された未定着トナー像は、中間転写ベルト１５の回転に伴って二次転写装置２０に搬送される。
【００３３】
一方、用紙搬送系では、画像形成のタイミングに合わせてピックアップロール５１が回転し、用紙トレイ５０から所定サイズの用紙Ｐが供給される。ピックアップロール５１により供給された用紙Ｐは、搬送ロール５２により搬送され、搬送シュート５３を経て二次転写装置２０に到達する。この二次転写装置２０に到達する前に、搬送シュート５３が、二次転写搬送ベルト２１の上昇動作（アドバンス動作）に連動して上昇し、二次転写装置２０への搬送路を形成している。用紙Ｐは一旦停止され、前述のようにしてトナー像が担持された中間転写ベルト１５の移動タイミングに合わせてレジストロール（図示せず）が回転することで、用紙Ｐの位置とトナー像の位置との位置合わせがなされる。
【００３４】
二次転写装置２０では、用紙Ｐへの二次転写のタイミングに合わせ、半導電性の二次転写搬送ベルト２１及び中間転写ベルト１５が間に挟まれた状態にて駆動ロール２２がバックアップロール２８に押圧される。このとき、タイミングを合わせて搬送される用紙Ｐは、中間転写ベルト１５と二次転写搬送ベルト２１との間に挟み込まれる。かかる際に、給電ロール２９にトナーの帯電電極と同極性の電圧（正規の転写バイアス）が印加されると、二次転写搬送ベルト２１に対向電極として転写電界が形成され、駆動ロール２２とバックアップロール２８とによって押圧される二次転写位置にて、中間転写ベルト１５上に担持された未定着トナー像が用紙Ｐに静電転写される。
【００３５】
その後、トナー像が静電転写された用紙Ｐは、二次転写搬送ベルト２１によって中間転写ベルト１５から剥離された状態でそのまま搬送され、二次転写搬送ベルト２１の用紙搬送方向下流側に設けられた搬送ベルト５４まで一定速度で搬送される。搬送ベルト５４の終端まで搬送された用紙Ｐは、シュート５６を介して搬送ベルト５５に移送される。搬送ベルト５５では、定着装置３０における最適な搬送速度に合わせて速度を変え、用紙Ｐを定着装置３０まで搬送する。用紙Ｐ上の未定着トナー像は、定着装置３０によって熱及び圧力で定着処理を受けることで用紙Ｐ上に定着され、定着画像が形成された用紙Ｐは、排出ロール（図示せず）によって装置の外部に排出される。一方、用紙Ｐへの転写が終了した後、中間転写ベルト１５上に残った残留トナーは、中間転写ベルト１５の回動に伴ってクリーニング部まで搬送され、ベルトクリーナ４１によって中間転写ベルト１５上から除去される。
【００３６】
図２は、駆動ロール３１部の幅方向一端部における構成図である。尚、図２では、幅方向の一端部のみを図示しているが、幅方向の他端部も一端部と同一に構成されている。駆動ロール３１（ロール本体）は、略円筒状に形成されている。駆動ロール３１の両端部には、駆動ロール３１中央部の径に対して小径であると共に駆動ロール３１中央部と同軸である凸部１０２が形成されている。凸部１０２は、円筒状に形成されている。駆動ロール３１における凸部１０２の外周には、カラー１０４が係合している。カラー１０４（段部）は、駆動ロール３１中央部の径に対して小径であると共に駆動ロール３１中央部と同軸である。また、駆動ロール３１における凸部１０２の内周には、軸部１０６が駆動ロール３１と一体となって回転するように嵌合している。軸部１０６は、装置フレーム１０８にベアリング１１０を介して支持されている。軸部１０６とベアリング１１０とは、ベアリング１０８から外側に突出している軸部１０６に形成されている溝部にＥリング１１２が嵌合して幅方向の移動が規制されている。また、一方の軸部１０６は、軸部１０６を回転させる図示しない駆動源に連結されている。尚、カラー１０４は、例えば、樹脂材料から成形されている。
【００３７】
駆動ロール３１には、中間転写ベルト１５が所定角度で巻き付いている。中間転写ベルト１５は、両端部が幅方向においてカラー１０４部に位置するように形成されている。中間転写ベルト１５の両端部表面には、中間転写ベルト１５の両端から幅方向外側に張出すように表面補強部材１１４が貼着されている。中間転写ベルト１５の両端部裏面には、駆動ロール３１両カラー１０４部から幅方向外側に張出すと共に厚さが駆動ロール３１とカラー１０４部との段差以下である裏面補強部材１１６が貼着されている。表面補強部材１１４と裏面補強部材１１６とは中間転写ベルト１５の両端から幅方向外側で一体となるように貼着されている。裏面補強部材１１６の表面には、駆動ロール３１両カラー１０４部の端面に当接して中間転写ベルト１５の寄りを規制する寄り規制部材１１８が貼着されている。尚、表面補強部材１１４、裏面補強部材１１６及び寄り規制部材１１８の外側端部は略一致するように形成されている。また、表面補強部材１１４及び裏面補強部材１１６は、弾性部材から成形されている。
【００３８】
図３は、駆動ロール３１の端部に寄り規制部材１１８が乗り上げた状態を示す図である。駆動ロール３１の端部に寄り規制部材１１８が乗り上げた場合、集中応力は、表面補強部材１１４及び裏面補強部材１１６で吸収している。
【００３９】
以上、本実施形態によれば、寄り規制部材１１８が駆動ロール３１の端部に乗り上げてしまうように場合においても、中間転写ベルト１５の両端部に集中応力が生じることなく中間転写ベルト１５の破損を防止することができる。
【００４０】
尚、本発明は上記実施形態に限定されるものではなく、本発明の要旨の範囲内において種々の変形実施が可能である。例えば、本実施形態では、駆動ロール３１と中間転写ベルト１５の構成について説明したが、他のロールと中間転写ベルト１５との構成、ロールと用紙搬送ベルト５４，５５との構成、及び、ロールと二次転写搬送ベルト２１との構成において本実施形態と同様な構成を適用することができる。また、本実施形態の画像形成装置は、感光体ドラム１１を使用して画像形成するものであるが、感光体ベルトを使用して画像形成するロールと感光体ベルトの構成において本実施形態と同様な構成を適用することができる。
【図面の簡単な説明】
【００４１】
【図１】図１は、本実施形態における画像形成装置を示す概略図である。
【図２】図２は、駆動ロール部の幅方向一端部における構成図である。
【図３】図３は、駆動ロールの端部に寄り規制部材が乗り上げた状態を示す図である。
【符号の説明】
【００４２】
１５：中間転写ベルト、３１：駆動ロール、１０４：カラー、１１４：表面補強部材、１１６：裏面補強部材、１１８：寄り規制部材
【図１】
2007057740.tif 000003
【図２】
2007057740.tif 000004
【図３】
2007057740.tif 000005